(57)【要約】      （修正有）【課題】筐体に水を供給する場合に、冷水の流速を低下させ、冷水を筐体内で緩やかに流動させてヒータ加熱することが可能となり、吐水水温の低下を回避できるスマート便座の洗浄タンク及び加熱タンクを提供する。【解決手段】洗浄タンクは筐体を含み、筐体には、給水口１２１、吐水口及びヒータ装着口が設けられている。また、筐体内の下方には導水部が設けられ、導水部は、水の流速を低下させるための導流水路２２を有する。導流水路の給水端は給水口に接続されており、導流水路の吐水端は筐体の内部空間と連通している。【選択図】図４
0003229808.tif 000002
【実用新案登録請求の範囲】
【請求項１】
筐体を含み、前記筐体に、給水口、吐水口及びヒータ装着口が設けられているスマート便座の洗浄タンクであって、  前記筐体内の下方には導水部が設けられており、前記導水部は、水の流速を低下させるための導流水路を有し、前記導流水路の給水端は前記給水口に接続されており、前記導流水路の吐水端は前記筐体の内部空間と連通していることを特徴とするスマート便座の洗浄タンク。
【請求項２】
前記導流水路はラビリンス式水路又は蛇行式水路であることを特徴とする、請求項１に記載のスマート便座の洗浄タンク。
【請求項３】
前記導水部には導流口が設けられており、前記導流口の軸線は水平方向に位置しており、前記導流水路の前記吐水端は前記導流口と連通していることを特徴とする、請求項１に記載のスマート便座の洗浄タンク。
【請求項４】
前記導水部は導水カバーを含み、前記導水カバーは前記筐体内の下方に装着されており、且つ、前記導水カバーに前記導流水路が設けられているか、或いは、前記導水カバーと前記筐体内の底面が組み合わされることで前記導流水路が形成され、前記導流口は前記導水カバーに設けられることを特徴とする、請求項３に記載のスマート便座の洗浄タンク。
【請求項５】
前記導水カバーの底部には導流溝が設けられており、前記導流溝と前記筐体内の底面が組み合わされることで前記導流水路が形成され、前記導流口は前記導水カバーの上部に設けられることを特徴とする、請求項４に記載のスマート便座の洗浄タンク。
【請求項６】
前記給水口は、前記筐体の底壁又は前記筐体の側壁の底部に位置しており、前記吐水口は、前記筐体の天井壁又は前記筐体の前記側壁の上部に位置していることを特徴とする、請求項１に記載のスマート便座の洗浄タンク。
【請求項７】
前記筐体は分離式構造であり、前記筐体の複数の部分同士が密封接続されていることを特徴とする、請求項１に記載のスマート便座の洗浄タンク。
【請求項８】
前記筐体は、タンク上カバーとタンク下カバーを含んでおり、これらが上下に密封接続され、前記給水口、前記導水部、前記ヒータ装着口は前記タンク下カバーに設けられており、前記吐水口は前記タンク上カバーに設けられており、更に、前記タンク上カバーには液体レベルスイッチが設けられていることを特徴とする、請求項７に記載のスマート便座の洗浄タンク。
【請求項９】
前記給水口には給水コネクタが接続されており、前記吐水口には吐水コネクタが接続されており、前記筐体の底部には排水口が設けられており、前記排水口には着脱可能な排水蓋が設けられていることを特徴とする、請求項１に記載のスマート便座の洗浄タンク。
【請求項１０】
ヒータを含むスマート便座の加熱タンクであって、  更に、請求項１〜９のいずれか１項に記載のスマート便座の洗浄タンクを含み、前記ヒータは、前記ヒータ装着口に装着されるとともに、前記導水部と前記吐水口の間に位置していることを特徴とするスマート便座の加熱タンク。
【考案の詳細な説明】
【技術分野】
【０００１】
本考案は洗浄タンクに関し、特に、スマート便座の洗浄タンク及び加熱タンクに関する。
【背景技術】
【０００２】
従来技術のスマート便座には、洗浄時にユーザが人体に適した温水を使用できるよう、加熱タンクが設置されている。当該加熱タンクは洗浄タンクとヒータを含んでおり、洗浄タンクに進入する洗浄用水をヒータで加熱することで、ユーザが理想的な温水を使用できるようにしている。一般的に、このような加熱タンクのヒータの加熱パワーは予め設定されている。そのため、この種の加熱タンクを市場における電圧の低い（例えば１００Ｖ）地域で使用する場合には、ヒータの電流が大きいことから、古い住宅街での使用に安全上の潜在リスクが存在することになる。そこで、ヒータのパワーを一定の値まで下げる必要があるが、ヒータのパワーが低下するにつれて洗浄タンクからの吐水温度が下がってしまう。これは、ヒータの加熱パワーが低下したにもかかわらず、冷水の流速は速いままのため、一部の冷水がヒータにより加熱されないまま排出されることに起因する。
【考案の概要】
【考案が解決しようとする課題】
【０００３】
本考案は、従来技術に存在する技術的課題に対し、吐水温度を一定にできるスマート便座の洗浄タンク及び加熱タンクを提供する。
【課題を解決するための手段】
【０００４】
本考案では、技術的課題を解決するために以下の技術方案を用いる。即ち、スマート便座の洗浄タンクであって、筐体を含み、当該筐体に、給水口、吐水口及びヒータ装着口が設けられている。また、筐体内の下方には導水部が設けられている。当該導水部は、水の流速を低下させるための導流水路を有する。当該導流水路の給水端は給水口に接続されており、当該導流水路の吐水端は筐体の内部空間と連通している。  
【０００５】
更に、前記導流水路はラビリンス式水路又は蛇行式水路である。  
【０００６】
更に、前記導水部には導流口が設けられている。当該導流口の軸線は水平方向に位置しており、前記導流水路の吐水端は当該導流口と連通している。  
【０００７】
更に、前記導水部は導水カバーを含む。当該導水カバーは前記筐体内の下方に装着されている。且つ、当該導水カバーに前記導流水路が設けられているか、或いは、当該導水カバーと前記筐体内の底面が組み合わされることで前記導流水路が形成される。前記導流口は導水カバーに設けられる。  
【０００８】
更に、前記導水カバーの底部には導流溝が設けられており、当該導流溝と前記筐体内の底面が組み合わされることで前記導流水路が形成される。前記導流口は導水カバーの上部に設けられる。  
【０００９】
更に、前記給水口は、前記筐体の底壁又は前記筐体の側壁の底部に位置しており、前記吐水口は、前記筐体の天井壁又は前記筐体の側壁の上部に位置している。  
【００１０】
更に、前記筐体は分離式構造であり、当該筐体の複数の部分同士が密封接続されている。  
【００１１】
更に、前記筐体は、タンク上カバーとタンク下カバーを含んでおり、これらが上下に密封接続される。前記給水口、導水部、ヒータ装着口はタンク下カバーに設けられており、前記吐水口はタンク上カバーに設けられている。更に、タンク上カバーには液体レベルスイッチが設けられている。  
【００１２】
更に、前記給水口には給水コネクタが接続されており、前記吐水口には吐水コネクタが接続されている。前記筐体の底部には排水口が設けられており、当該排水口には着脱可能な排水蓋が設けられている。  
【００１３】
本考案は、更に、スマート便座の加熱タンクを提供する。当該加熱タンクは、ヒータを含むとともに、上述した本考案における前記スマート便座の洗浄タンクを更に含む。ヒータは、前記ヒータ装着口に装着されるとともに、前記導水部と吐水口の間に位置している。
【考案の効果】
【００１４】
従来技術と比較して、本考案は以下の有益な効果を有する。  
【００１５】
１．本考案では、筐体内の下方に導水部が設けられており、当該導水部が、水の流速を低下させるための導流水路を有している。これにより、筐体に水を供給した場合、導流水路によって冷水の流速を低下させられることから、筐体に進入した冷水を筐体内で緩やかに流動させてヒータにより加熱可能となる。そのため、吐水水温の低下が回避される。  
【００１６】
２．前記導流水路はラビリンス式水路又は蛇行式水路であるため、導流水路の長さが大幅に延長される。これにより、冷水の流速が更に低下するだけでなく、筐体内における冷水の流動時間が増加するため、ヒータによって冷水を十分に加熱可能となる。  
【００１７】
３．前記導水部には導流口が設けられており、当該導流口の軸線は水平方向に位置している。よって、本考案では、冷水を筐体の内部で水平に流動させたあとに上方へ流動させるよう、水の流動方向を変化させることが可能である。これにより、筐体内において冷水と温水の層を分けることで、筐体内の上部における予め加熱された一定の温度の温水は、筐体の吐水口から排出されたあと、水と混合されて排出される。従って、給水温度が５℃の場合に、洗浄３０秒前の吐水温度≧３５℃にするとのユーザの使用ニーズが満たされる。  
【００１８】
４．前記導水部は前記導水カバーを含むため、導水部の加工工程がよりシンプルとなる。  
【００１９】
以下に、図面と実施例を組み合わせて、本考案につき更に詳細に説明する。ただし、本考案におけるスマート便座の洗浄タンク及び加熱タンクは実施例に限らない。
【図面の簡単な説明】
【００２０】
【図１】図１は、本考案の分解図である。
【図２】図２は、本考案の立体構造を示す図である。
【図３】図３は、本考案の断面図である。
【図４】図４は、本考案の水流の方向を示す第１の図である。
【図５】図５は、本考案の水流の方向を示す第２の図である。
【図６】図６は、図５のＡ部分の拡大図である。
【考案を実施するための形態】
【００２１】
本実施例では、図１〜図６を参照する。本考案におけるスマート便座の洗浄タンクは筐体１を含む。当該筐体１には、給水口１２１、吐水口１１１及びヒータ装着口１２２が設けられている。また、筐体１内の下方には導水部が設けられている。当該導水部は、水の流速を低下させるための導流水路２２を有する。当該導流水路２２の給水端は給水口１２１に接続されており、当該導流水路２２の吐水端は筐体１の内部空間と連通している。  
【００２２】
本実施例において、前記導流水路２２はラビリンス式水路である。ただし、これに限らず、その他の実施例において、前記導流水路２２は蛇行式水路とする。  
【００２３】
本実施例において、前記導水部には導流口２３が設けられている。当該導流口２３の軸線は水平方向に位置しており、前記導流水路２２の吐水端は当該導流口２３と連通している。  
【００２４】
本実施例において、前記導水部は導水カバー２を含む。当該導水カバー２は前記筐体１内の下方に装着されており、当該導水カバー２と前記筐体１内の底面が組み合わされることで前記導流水路２２が形成される。ただし、これに限らず、その他の実施例では、当該導水カバーに前記導流水路が設けられている。具体的に、前記導水カバー２の底部には導流溝２１が設けられており、当該導流溝２１と前記筐体１内の底面が組み合わされることで前記導流水路２２が形成される。こうすることで、導流水路２２の成型がより容易となり、製造工程がシンプルとなる。また、その他の実施例では、導水部と筐体が一体的に成型される。前記導水部の導流口２３は、導水カバー２の上部に設けられている。  
【００２５】
本実施例において、前記給水口１２１は、前記筐体１の側壁の底部に位置しており、且つ給水コネクタ３が接続されている。また、前記吐水口１１１は、前記筐体１の天井壁に位置しており、且つ吐水コネクタ４が接続されている。その他の実施例において、前記給水口は筐体の底壁に位置しており、前記吐水口は前記筐体の側壁の上部に位置している。前記筐体１の底部には排水口が設けられており、当該排水口には着脱可能な排水蓋７が設けられている。具体的に、前記排水口は筐体１の底壁に位置している。前記ヒータ装着口１２２は筐体１の側壁に位置しており、これに装着されるヒータ６（具体的に、当該ヒータ６は加熱管とする）は、導水カバー２と吐水口１１１の間に位置している。  
【００２６】
本実施例において、前記筐体１は分離式構造であり、当該筐体１の複数の部分同士は密封接続されている。具体的に、前記筐体１は、タンク上カバー１１とタンク下カバー１２を含んでおり、これらが上下に密封接続される。前記給水口１２１、導水カバー２、ヒータ装着口１２２、排水口はタンク下カバー１２に設けられており、前記吐水口１１１はタンク上カバー１１に設けられている。更に、タンク上カバー１１には液体レベルスイッチ５が設けられている。  
【００２７】
本考案におけるスマート便座の洗浄タンクでは、各部材の接続関係が次のようになっている。即ち、導水カバー２はタンク下カバー１２にネジで締結されており、タンク下カバー１２とタンク上カバー１１は溶接により固定されている。給水コネクタはネジでタンク下カバー１２に締結されており、吐水コネクタはネジでタンク上カバー１１に締結されている。また、液体レベルスイッチは、ネジでタンク上カバー１１に締結されている。  
【００２８】
本考案におけるスマート便座の洗浄タンクの動作プロセスは次の通りである。即ち、図４に示すように、冷水は、筐体１の給水口１２１から進入し、導流水路２２に沿って往復流動する。図中の矢印は水流の方向を示している。導流水路２２によって冷水の流速が大幅に低下するため、冷水は筐体１内で緩やかに流れ、加熱管６によって十分に加熱可能となる。これにより、冷水が筐体１の吐水口１１１からそのまま排出されて吐水温度が低下するとの事態が回避される。また、図５及び図６に示すように、冷水は導水カバー２の導流口２３か
ら流出し、水平方向に流動したあと、上方へ流動して温水と混合される。このように、筐体１内において冷水と温水の層を分けることで、筐体１内の上部における予め加熱された一定の温度の温水は、筐体１の吐水口１１１から排出されたあと、水と混合されて排出される。これにより、給水温度が５℃の場合に、洗浄３０秒前の吐水温度≧３５℃にするとのユーザの使用ニーズが満たされる。  
【００２９】
図１〜図６を参照して、本考案におけるスマート便座の加熱タンクは、ヒータを含むとともに、上述した本考案における前記スマート便座の洗浄タンクを更に含む。ヒータは、前記ヒータ装着口１２２に装着されるとともに、前記導水部と吐水口１１１の間に位置している。  
【００３０】
本実施例において、具体的に、前記ヒータは加熱管６とするがこれに限らない。当該加熱管６は、ネジで前記タンク下カバー１２に締結される。  
【００３１】
本考案におけるスマート便座の加熱タンクの動作原理は上記の通りのため、ここでは改めて詳述しない。  
【００３２】
上記の実施例は、本考案におけるスマート便座の洗浄タンク及び加熱タンクについて更に説明するためのものにすぎず、本考案は実施例に限定しない。本考案の技術的本質に基づいて上記の実施例に対して行われる簡単な修正、等価の変形及び補足は、いずれも本考案の技術方案の保護範囲に含まれる。 
【図１】
0003229808.tif 000003
【図２】
0003229808.tif 000004
【図３】
0003229808.tif 000005
【図４】
0003229808.tif 000006
【図５】
0003229808.tif 000007
【図６】
0003229808.tif 000008